(57)【要約】【課題】多くの情報を表示しながら消費電力の低減を図る。【解決手段】制御部１２０が、表示部１１０−１，１１０−２が表示している表示情報に基づいて、表示部１１０−１，１１０−２のうち少なくとも１つの表示部における表示状態を、その表示部以外の表示部における通常表示状態に用いる消費電力よりも少ない消費電力を用いた省電力表示状態に制御する。【選択図】図１
2014006284.tif 000002
【特許請求の範囲】
【請求項１】
複数の表示部と、
前記複数の表示部が表示している表示情報に基づいて、前記複数の表示部のうち少なくとも１つの表示部における表示状態を、該表示部以外の表示部における通常表示状態に用いる消費電力よりも少ない消費電力を用いた省電力表示状態に制御する制御部とを有する情報処理装置。
【請求項２】
請求項１に記載の情報処理装置において、
前記制御部は、前記複数の表示部のうち、情報を入力するための操作画面を表示していない表示部における表示状態を前記省電力表示状態に制御することを特徴とする情報処理装置。
【請求項３】
請求項１または請求項２に記載の情報処理装置において、
前記制御部は、前記通常表示状態における表示の明るさよりも暗い表示を行う表示状態を前記省電力表示状態とすることを特徴とする情報処理装置。
【請求項４】
請求項１から３のいずれか１項に記載の情報処理装置において、
前記制御部は、前記通常表示状態における表示の更新周期よりも長い更新周期で表示を更新する表示状態を前記省電力表示状態とすることを特徴とする情報処理装置。
【請求項５】
請求項１から４のいずれか１項に記載の情報処理装置において、
前記複数の表示部は、タッチパネル機能を具備し、
前記制御部は、前記通常表示状態における物体の接触または近接の検知タイミングの周期よりも長い周期で検知を行う表示状態を前記省電力表示状態とすることを特徴とする情報処理装置。
【請求項６】
複数の表示部が表示している表示情報に基づいて、前記複数の表示部のうち少なくとも１つの表示部における表示状態を、該表示部以外の表示部における通常表示状態に用いる消費電力よりも少ない消費電力を用いた省電力表示状態に制御する処理を行う情報処理方法。
【請求項７】
複数の表示部を有する装置に、
前記複数の表示部が表示している表示情報に基づいて、前記複数の表示部のうち少なくとも１つの表示部における表示状態を、該表示部以外の表示部における通常表示状態に用いる消費電力よりも少ない消費電力を用いた省電力表示状態に制御する手順を実行させるためのプログラム。
【発明の詳細な説明】
【技術分野】
【０００１】
本発明は、情報を処理する情報処理装置、情報処理方法およびプログラムに関する。
【背景技術】
【０００２】
近年多くの利用者に利用されている携帯通信端末には、様々なスタイルのものが存在する。中でも、複数のディスプレイを搭載した携帯通信端末においては、多くの情報を表示することができ、利便性の向上を図っている。
【０００３】
しかしながら、複数のディスプレイに情報を表示することで、１つのディスプレイに情報を表示するものよりも、多くの電力を消費してしまう。
【０００４】
また、タッチパネル機能を具備した複数のタッチパネルを搭載した装置にて、当該装置が所定時間、操作が行われない場合に設定される省電力モードにあるとき、１つのタッチパネル以外のタッチパネルへの給電を停止させる技術が考えられている（例えば、特許文献１参照。）。この技術を複数のディスプレイを搭載した携帯通信端末に適用すれば、省電力を図ることができる。
【先行技術文献】
【特許文献】
【０００５】
【特許文献１】特開２００８−１０７４２９号公報
【発明の概要】
【発明が解決しようとする課題】
【０００６】
しかしながら、特許文献１に記載されたような技術を複数のディスプレイを搭載した携帯通信端末に適用した場合、１つのディスプレイのみへ給電が行われるため、複数のディスプレイを搭載することで多くの情報を表示することができるという利点を活かすことができないという問題点がある。
【０００７】
本発明の目的は、上述した課題を解決する情報処理装置、情報処理方法およびプログラムを提供することである。
【課題を解決するための手段】
【０００８】
本発明の情報処理装置は、
複数の表示部と、
前記複数の表示部が表示している表示情報に基づいて、前記複数の表示部のうち少なくとも１つの表示部における表示状態を、該表示部以外の表示部における通常表示状態に用いる消費電力よりも少ない消費電力を用いた省電力表示状態に制御する制御部とを有する。
【０００９】
また、本発明の情報処理方法は、
複数の表示部が表示している表示情報に基づいて、前記複数の表示部のうち少なくとも１つの表示部における表示状態を、該表示部以外の表示部における通常表示状態に用いる消費電力よりも少ない消費電力を用いた省電力表示状態に制御する処理を行う。
【００１０】
また、本発明のプログラムは、
複数の表示部を有する装置に実行させるためのプログラムであって、
前記複数の表示部が表示している表示情報に基づいて、前記複数の表示部のうち少なくとも１つの表示部における表示状態を、該表示部以外の表示部における通常表示状態に用いる消費電力よりも少ない消費電力を用いた省電力表示状態に制御する手順を実行させる。
【発明の効果】
【００１１】
以上説明したように、本発明においては、多くの情報を表示しながら消費電力の低減を図ることができる。
【図面の簡単な説明】
【００１２】
【図１】本発明の情報処理装置の実施の一形態を示す図である。
【図２】図１に示した情報処理装置に、さらにタッチパネル機能が具備された形態の一例を示す図である。
【図３】図２に示した情報処理装置の外観の一例を示す図である。
【図４】図２に示した情報処理装置における情報処理方法を説明するためのフローチャートである。
【図５】情報を入力するための操作画面が一方の表示部に表示されている場合の情報処理装置の外観の一例を示す図である。
【図６】図２に示した制御部が一方の表示部の表示の明るさを他方の表示部の表示の明るさよりも暗いものに制御したときの情報処理装置の外観の一例を示す図である。
【図７】図２に示した制御部が一方の検知部の検知タイミングの周期を、現在設定されている検知タイミングの周期よりも長くしたときの検知部の検知タイミングの一例を示す図である。
【図８】情報を入力するための操作画面が一方の表示部に表示されている場合の情報処理装置の外観の一例を示す図である。
【図９】情報を入力するための操作画面が一方の表示部に表示されている場合の情報処理装置の外観の他の例を示す図である。
【図１０】図２に示した制御部が一方の表示部の表示の更新周期を、通常表示状態における表示の更新周期よりも長くしたときの表示部の表示の更新周期の一例を示す図である。
【発明を実施するための形態】
【００１３】
以下に、本発明の実施の形態について図面を参照して説明する。
【００１４】
図１は、本発明の情報処理装置の実施の一形態を示す図である。
【００１５】
本形態における情報処理装置１００には図１に示すように、表示部１１０−１，１１０−２と、制御部１２０とが設けられている。なお、図１には、情報処理装置１００に設けられた構成要素のうち、本実施の形態に関わる主要な構成要素の一例を示す。
【００１６】
表示部１１０−１，１１０−２は、情報を表示するディスプレイである。また、表示部１１０−１，１１０−２は、液晶パネルや有機ＥＬ（Ｅｌｅｃｔｒｏｌｕｍｉｎｅｓｃｅｎｃｅ）、バックライトを含む。また、図１では、情報処理装置１００に表示部が２つ設けられている場合を例に挙げて示しているが、３つ以上の複数の表示部が設けられているものであっても良い。
【００１７】
制御部１２０は、表示部１１０−１，１１０−２における表示を制御する。また、制御部１２０は、表示部１１０−１，１１０−２が表示している情報（表示情報）に基づいて、表示部１１０−１，１１０−２における表示状態を制御する。具体的には、制御部１２０は、表示部１１０−１，１１０−２が表示している表示情報に基づいて、表示部１１０−１，１１０−２のうち一方の表示部における表示状態を、他方の表示部における通常表示状態（通常、情報を表示する状態）にて用いる消費電力よりも少ない消費電力を用いた省電力表示状態に制御する。例えば、制御部１２０は、表示部１１０−１に情報を入力するための画面（例えば、キーボタン等の操作画面）が表示されている（表示部１１０−２には情報を入力するための操作画面が表示されていない）場合、表示部１１０−１における表示を通常表示状態とし、表示部１１０−２における表示を省電力表示状態とする。または、制御部１２０は、表示部１１０−２に情報を入力するための操作画面が表示されている（表示部１１０−１には情報を入力するための操作画面が表示されていない）場合、表示部１１０−２における表示を通常表示状態とし、表示部１１０−１における表示を省電力表示状態とする。
【００１８】
ここで、制御部１２０は、通常表示状態における表示の明るさよりも暗い表示を行う表示状態を省電力表示状態とする。
【００１９】
図２は、図１に示した情報処理装置１００に、さらにタッチパネル機能が具備された形態の一例を示す図である。
【００２０】
本形態は図２に示すように、表示部１１０−１，１１０−２と、制御部１２０と、検知部１３０−１，１３０−２とが設けられている。なお、図２には、情報処理装置１００に設けられた構成要素のうち、本実施の形態に関わる主要な構成要素の一例を示す。
【００２１】
検知部１３０−１は、表示部１１０−１の表示面への物体の接触または近接を検知する。検知部１３０−２は、表示部１１０−２の表示面への物体の接触または近接を検知する。なお、図２に示した形態においては、表示部１１０−１と検知部１３０−１とが、また、表示部１１０−２と検知部１３０−２とがそれぞれ別個の構成要素となっている場合を例に挙げて示しているが、表示部１１０−１と検知部１３０−１とが、また、表示部１１０−２と検知部１３０−２とがそれぞれ一体化しているものであっても良い。つまり、表示部１１０−１，１１０−２と検知部１３０−１，１３０−２とから、タッチパネル機能を実現できるものであれば良い。また、検知部１３０−１，１３０−２は、検知の結果を制御部１２０へ出力する。
【００２２】
制御部１２０は、検知部１３０−１，１３０−２から出力されてきた検知結果に基づいた制御を行う。この制御は、一般的なタッチセンサの機能における制御と同じで良い。
【００２３】
以下、図２に示したように、検知部１３０−１，１３０−２が設けられた情報処理装置１００について、動作等を説明する。また、表示部１１０−１と検知部１３０−１とが、また、表示部１１０−２と検知部１３０−２とがそれぞれ一体化して、それぞれがタッチパネル機能を実現する場合を例に挙げて説明する。
【００２４】
図３は、図２に示した情報処理装置１００の外観の一例を示す図である。
【００２５】
図３に示すように、図２に示した情報処理装置１００には、表示部１１０−１，１１０−２が搭載されている。
【００２６】
以下に、図２に示した情報処理装置１００における情報処理方法について説明する。
【００２７】
図４は、図２に示した情報処理装置１００における情報処理方法を説明するためのフローチャートである。
【００２８】
まず、情報処理装置１００を操作する利用者の所定の操作に基づいて、制御部１２０が、文字入力状態に遷移すると（ステップＳ１）、制御部１２０が、その文字入力状態が本発明の情報処理方法を行う対象のプログラムまたは使用状態であるかどうかを判定する（ステップＳ２）。なお、このとき制御部１２０は、表示部１１０−１，１１０−２の表示状態を通常表示状態で制御している。
【００２９】
文字入力状態が本発明の情報処理方法を行う対象のプログラムまたは使用状態ではない場合、処理は終了する。
【００３０】
一方、文字入力状態が本発明の情報処理方法を行う対象のプログラムまたは使用状態である場合は、制御部１２０が、情報を入力するための画面（操作画面）が、どの表示部に表示されているかを判定する（ステップＳ３）。
【００３１】
図５は、情報を入力するための操作画面が表示部１１０−１に表示されている場合の情報処理装置１００の外観の一例を示す図である。
【００３２】
図５に示すように、情報を入力するための操作画面である操作部２００が、表示部１１０−１に表示されている。このように、操作部２００が表示部１１０−１に表示されている場合、制御部１２０は、操作画面が表示されていない表示部１１０−２の表示を省電力表示状態として、表示部１１０−２の表示の明るさを表示部１１０−１の表示の明るさよりも暗いものに制御する（ステップＳ４）。
【００３３】
図６は、図２に示した制御部１２０が表示部１１０−２の表示の明るさを表示部１１０−１の表示の明るさよりも暗いものに制御したときの情報処理装置１００の外観の一例を示す図である。
【００３４】
図６に示すように、表示部１１０−２の表示の明るさが、表示部１１０−１の通常の表示の明るさよりも暗いものに制御される。
【００３５】
また、制御部１２０は、操作画面が表示されていない表示部１１０−２とともにタッチパネルとして機能している検知部１３０−２の検知タイミングを変更する（ステップＳ５）。具体的には、制御部１２０は、検知部１３０−２の検知タイミングの周期を、現在設定されている検知タイミングの周期よりも長くすることで、検知の精度を鈍くする（感度を下げる）。
【００３６】
図７は、図２に示した制御部１２０が検知部１３０−２の検知タイミングの周期を、現在設定されている検知タイミングの周期よりも長くしたときの検知部１３０−１，１３０−２の検知タイミングの一例を示す図である。
【００３７】
図７に示すように、操作部２００が表示部１１０−１に表示され、表示部１１０−２には表示されていない場合、検知部１３０−２の検知タイミングの周期が、検知部１３０−１の検知タイミングの周期よりも長いものへ制御される。このように、制御部１２０は、通常表示状態における検知タイミングの周期よりも長い周期で検知を行う表示状態を省電力表示状態とする。
【００３８】
図８は、情報を入力するための操作画面が表示部１１０−２に表示されている場合の情報処理装置１００の外観の一例を示す図である。
【００３９】
図８に示すように、情報を入力するための操作画面である操作部２００が、表示部１１０−２に表示されている。このように、操作部２００が表示部１１０−２に表示されている場合、制御部１２０は、操作画面が表示されていない表示部１１０−１の表示を省電力表示状態として、表示部１１０−１の表示の明るさを表示部１１０−２の表示の明るさよりも暗いものに制御する（ステップＳ６）。
【００４０】
また、制御部１２０は、操作画面が表示されていない表示部１１０−１とともにタッチパネルとして機能している検知部１３０−１の検知タイミングを変更する（ステップＳ７）。具体的には、制御部１２０は、検知部１３０−１の検知タイミングの周期を、現在設定されている検知タイミングの周期よりも長くすることで、検知の精度を鈍くする。
【００４１】
図９は、情報を入力するための操作画面が表示部１１０−２に表示されている場合の情報処理装置１００の外観の他の例を示す図である。
【００４２】
図９に示すように、利用者から見て、表示部１１０−１と表示部１１０−２とが縦方向に並ぶような状態で情報処理装置１００を利用者が保持した場合、一般的なパーソナルコンピュータのディスプレイとキーボードとの位置関係のように、利用者側の表示部１１０−２に操作部２００が表示されることが多いと考えられる。このような状態であっても、本発明は適用可能である。
【００４３】
その後、文字入力状態が終了すると（ステップＳ８）、制御部１２０は、表示部１１０−１，１１０−２の表示状態を元の通常表示状態へ戻し、また検知部１３０−１，１３０−２の検知タイミングを元の検知タイミングへ戻す（ステップＳ９）。
【００４４】
上述したように、一般的に、コンテンツ表示中やアプリケーション使用での文字入力する使用シーンにおいては、複数の表示部のうち一部の表示部に操作画面が集中して表示される場合が多い。そのような場合、操作画面が表示されていない側の表示部の明るさレベルを下げたり、タッチパネルの検知タイミングの周期を長くしたりすることで、省電力化を実現することができる。
【００４５】
また、制御部１２０は、通常表示状態における表示の更新周期よりも長い更新周期で表示を更新する表示状態を省電力表示状態とするものであっても良い。
【００４６】
図１０は、制御部１２０が表示部１１０−２の表示の更新周期を、通常表示状態における表示の更新周期よりも長くしたときの表示部１１０−１，１１０−２の表示の更新周期の一例を示す図である。
【００４７】
図１０に示すように、操作部２００が表示部１１０−１に表示され、表示部１１０−２には表示されていない場合、表示部１１０−２の表示の更新周期が、表示部１１０−１の表示の更新周期よりも長いものへ制御される。
【００４８】
このように、操作画面が表示されていない側の表示部の表示の更新周期を長くすることで、省電力化を実現することができる。
【００４９】
なお、上述した情報処理装置１００は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機等の電子機器である。
【００５０】
上述した情報処理装置１００に設けられた各構成要素が行う処理は、目的に応じてそれぞれ作製された論理回路で行うようにしても良い。また、処理内容を手順として記述したコンピュータプログラム（以下、プログラムと称する）を情報処理装置１００にて読取可能な記録媒体に記録し、この記録媒体に記録されたプログラムを情報処理装置１００に読み込ませ、実行するものであっても良い。情報処理装置１００にて読取可能な記録媒体とは、フロッピー（登録商標）ディスク、光磁気ディスク、ＤＶＤ、ＣＤなどの移設可能な記録媒体の他、情報処理装置１００に内蔵されたＲＯＭ、ＲＡＭ等のメモリやＨＤＤ等を指す。この記録媒体に記録されたプログラムは、情報処理装置１００に設けられた制御部１２０にて読み込まれ、制御部１２０の制御によって、上述したものと同様の処理が行われる。ここで、制御部１２０は、プログラムが記録された記録媒体から読み込まれたプログラムを実行するコンピュータとして動作するものである。
【００５１】
上記の実施の形態の一部または全部は、以下の付記のようにも記載され得るが、以下には限られない。
（付記１）複数の表示部と、
前記複数の表示部が表示している表示情報に基づいて、前記複数の表示部のうち少なくとも１つの表示部における表示状態を、該表示部以外の表示部における通常表示状態に用いる消費電力よりも少ない消費電力を用いた省電力表示状態に制御する制御部とを有する情報処理装置。
（付記２）前記制御部は、前記複数の表示部のうち、情報を入力するための操作画面を表示していない表示部における表示状態を前記省電力表示状態に制御することを特徴とする、付記１に記載の情報処理装置。
（付記３）前記制御部は、前記通常表示状態における表示の明るさよりも暗い表示を行う表示状態を前記省電力表示状態とすることを特徴とする、付記１または付記２に記載の情報処理装置。
（付記４）前記制御部は、前記通常表示状態における表示の更新周期よりも長い更新周期で表示を更新する表示状態を前記省電力表示状態とすることを特徴とする、付記１から３のいずれか１項に記載の情報処理装置。
（付記５）前記複数の表示部は、タッチパネル機能を具備し、
前記制御部は、前記通常表示状態における物体の接触または近接の検知タイミングの周期よりも長い周期で検知を行う表示状態を前記省電力表示状態とすることを特徴とする、付記１から４のいずれか１項に記載の情報処理装置。
（付記６）複数の表示部が表示している表示情報に基づいて、前記複数の表示部のうち少なくとも１つの表示部における表示状態を、該表示部以外の表示部における通常表示状態に用いる消費電力よりも少ない消費電力を用いた省電力表示状態に制御する処理を行う情報処理方法。
（付記７）複数の表示部を有する装置に、
前記複数の表示部が表示している表示情報に基づいて、前記複数の表示部のうち少なくとも１つの表示部における表示状態を、該表示部以外の表示部における通常表示状態に用いる消費電力よりも少ない消費電力を用いた省電力表示状態に制御する手順を実行させるためのプログラム。
【符号の説明】
【００５２】
１００    情報処理装置
１１０−１，１１０−２    表示部
１２０    制御部
１３０−１，１３０−２    検知部
２００    操作部
【図１】
2014006284.tif 000003
【図２】
2014006284.tif 000004
【図３】
2014006284.tif 000005
【図４】
2014006284.tif 000006
【図５】
2014006284.tif 000007
【図６】
2014006284.tif 000008
【図７】
2014006284.tif 000009
【図８】
2014006284.tif 000010
【図９】
2014006284.tif 000011
【図１０】
2014006284.tif 000012